(57)【要約】公開された広告の取引方法および前記方法を実現するシステムを開示する。公開された広告の取引システムは、セールス情報が入力されるセールス登録部と、セールス情報に基づいて詳細な広告設定を生成する広告提案部と、広告設定に基づいてネットワーク上で契約締結過程を進める契約部とを含む。【選択図】図２
2011528835.tif 000002
【特許請求の範囲】
【請求項１】
セールス情報が入力されるセールス登録部と、
前記セールス情報に基づいて詳細な広告設定を生成する広告提案部と、
前記広告設定に基づいてネットワーク上で契約締結過程を進める契約部と、
を含むことを特徴とする公開された広告の取引システム。
【請求項２】
前記セールス情報は、広告内容の種類、広告の題名、広告の取引類型、広告主の情報、広告製作会社の情報、作成者の情報、および広告類型のうち少なくとも１つを含むことを特徴とする請求項１に記載の公開された広告の取引システム。
【請求項３】
前記広告提案部は、前記セールス情報に応じて選択可能な広告オプション情報を表示し、少なくとも１つの前記広告オプションが選択されると、選択された広告オプションに対応する金額を表示し、選択された広告オプションに基づいて広告設定を生成することを特徴とする請求項１に記載の公開された広告の取引システム。
【請求項４】
前記広告提案部は、前記広告設定を複製して類似の広告設定を生成することを特徴とする請求項１に記載の公開された広告の取引システム。
【請求項５】
前記契約部で契約が締結されると、契約者から広告素材が提供され、前記広告設定に応じて前記広告素材を露出するキャンペーン部をさらに含むことを特徴とする請求項１に記載の公開された広告の取引システム。
【請求項６】
前記キャンペーン部は、前記契約金額が入金されると前記契約金額を預金として設定し、前記広告素材を露出し、前記広告素材の露出量に応じて前記預金を減少させることを特徴とする請求項５に記載の公開された広告の取引システム。
【請求項７】
前記キャンペーン部は、前記広告設定に含まれる範囲内で広告露出に関する露出情報を変更することを特徴とする請求項５に記載の公開された広告の取引システム。
【請求項８】
セールス情報が入力され、
前記セールス情報に基づいて詳細な広告設定を生成し、
前記広告設定に基づいてネットワーク上で契約締結過程を進めること、
を含むことを特徴とする公開された広告の取引方法。
【請求項９】
前記セールス情報は、広告内容の種類、広告の題名、広告の取引類型、広告主の情報、広告製作会社の情報、作成者の情報、および広告類型のうち少なくとも１つを含むことを特徴とする請求項８に記載の公開された広告の取引方法。
【請求項１０】
前記広告設定を生成することは、
前記セールス情報に応じて選択可能な広告オプション情報を表示し、
少なくとも１つの前記広告オプションが選択されると、選択された広告オプションに対応する金額を表示し、
選択された広告オプションに基づいて広告設定を生成すること、
を含むことを特徴とする請求項８に記載の公開された広告の取引方法。
【請求項１１】
前記広告設定を生成することは、前記広告設定を複製して類似の広告設定を生成することを特徴とする請求項８に記載の公開された広告の取引方法。
【請求項１２】
前記契約締結過程を進めることにおいて、契約が締結されると、契約者から広告素材が提供され、
前記広告設定に応じて前記広告素材を露出すること、
をさらに含むことを特徴とする請求項８に記載の公開された広告の取引方法。
【請求項１３】
前記広告素材を露出することは、前記契約金額が入金されると前記契約金額を預金として設定し、前記広告素材を露出し、前記広告素材の露出量に応じて前記預金を減少させることを特徴とする請求項１２に記載の公開された広告の取引方法。
【請求項１４】
前記広告素材を露出することは、前記広告設定に含まれる範囲内で広告露出に関する露出情報を変更することを特徴とする請求項１２に記載の公開された広告の取引方法。
【請求項１５】
セールス情報が入力されるセールス登録部と、
前記セールス情報に基づいて広告契約情報および広告金額を含む販売ユニットを提供するユニット提供部と、
前記販売ユニットのうち少なくとも１つが選択されると、選択された販売ユニットに基づいて詳細な広告設定を生成する広告提案部と、
前記広告設定に基づいてネットワーク上で契約締結過程を進める契約部と、
を含むことを特徴とする販売ユニットを用いた広告の取引システム。
【請求項１６】
前記ユニット提供部は、前記広告内容の種類に応じて割引率を選択し、基準広告単価に前記割引率を適用して前記広告金額を生成することを特徴とする請求項１５に記載の販売ユニットを用いた広告の取引システム。
【請求項１７】
前記ユニット提供部は、前記広告主の情報、広告製作会社の情報、および作成者の情報に基づいて割引率を選択し、基準広告金額に前記割引率を適用して前記広告金額を生成することを特徴とする請求項１５に記載の販売ユニットを用いた広告の取引システム。
【請求項１８】
前記ユニット提供部は、前記広告主の情報、広告製作会社の情報、および作成者の情報に基づいて提供する前記販売ユニットの種類および数量を変更することを特徴とする請求項１５に記載の販売ユニットを用いた広告の取引システム。
【請求項１９】
前記広告提案部は、前記契約金額の大きさに基づいて割引率を選択し、前記契約金額に前記割引率を適用して最終契約金額を生成することを特徴とする請求項１５に記載の販売ユニットを用いた広告の取引システム。
【請求項２０】
セールス情報が入力され、
前記セールス情報に基づいて広告契約情報および広告金額を含む販売ユニットを提供し、
前記販売ユニットのうち少なくとも１つが選択されると、選択された販売ユニットに基づいて詳細な広告設定を生成し、
前記広告設定に基づいてネットワーク上で契約締結過程を進めること、
を含むことを特徴とする販売ユニットを用いた広告の取引方法。
【発明の詳細な説明】
【技術分野】
【０００１】
本発明は、公開された広告の取引方法および前記方法を行うシステム、販売ユニットを用いた広告の取引方法および前記方法を行うシステムに関する。
【背景技術】
【０００２】
従来はオフライン上の広告看板を用いた広告やＴＶ、ラジオを用いてユーザに一方的に広告内容を提供する広告が主であったが、ネットワーク関連技術の発展に伴って、ネットワークを介してサーバに接続する際に表示されるコンテンツページの一部に広告内容を表示するオンライン広告が増加するようになった。
【０００３】
しかし、オンライン広告の場合には、同じ広告位置に複数の広告を露出することができるため、１つの広告位置に複数の広告主が契約をすることができる。
【０００４】
したがって、オンライン広告を提供するコンテンツページの提供業者は、広告を露出しようとする広告主または広告製作会社と広告露出に関する契約を締結するための担当者を派遣しているのが現状である。
【０００５】
しかし、大部分の広告は、契約条件や構造が簡単であり、必ずしも人が仲介して契約内容を管理する必要がないことから、簡単な広告に限定して広告主または広告製作会社が担当者を介することなく広告露出の契約締結を可能にする方法およびシステムが必要とされている。
【０００６】
また、オンライン広告で一人の広告主が複数の広告位置に同じ広告を露出し、または複数の広告位置に異なる広告を露出する場合には、それぞれの広告を露出する位置における露出条件および金額に関する交渉が必要である。
【０００７】
また、特定の業種に関する広告を契約する広告主、または広告契約を頻繁に利用する優良顧客の場合には広告の契約時に特別な割引率を適用することができるが、異なる業種に関する広告を露出する契約を締結する場合には契約ごとに異なる割引率を適用しているため、契約金額の算定が複雑になるという問題があった。
【０００８】
したがって、各広告契約に必要な内容を１つにグループ化して当該グループを選択することによって契約金額および露出条件を自動的に設定し、選択した広告主または広告内容に応じて自動的に割引率を適用できる方法またはシステムが必要とされている。
【発明の概要】
【発明が解決しようとする課題】
【０００９】
本発明は、予め契約された広告露出に関する情報が内部に記録されており、広告主または広告製作会社が接続して契約内容を設定することのできる広告の取引システム（ａｄｖｅｒｔｉｓｉｎｇ  ｔｒａｎｓａｃｔｉｏｎ  ｓｙｓｔｅｍ）を提供することによって、広告主または広告製作会社が、オンライン広告を提供するコンテンツページの提供業者の担当者と交渉することなく広告契約を締結することのできる公開された（ｏｐｅｎ）広告の取引システムを提供する。
【００１０】
本発明は、多様な広告オプションを表示し、広告主または広告製作会社が１つ以上の広告オプションを選択すると、選択された広告オプションに応じた金額を表示して、契約を締結することができることによって、広告主または広告製作会社が予算の範囲内で多様な広告オプションの組合せを実現することのできる公開された広告の取引システムを提供する。
【００１１】
本発明は、広告露出を制御するキャンペーン部を追加することによって、広告契約期間に一定の金額を支払って、特定の広告オプションを一定の期間に追加的に用いて短期集中の広告を可能にする公開された広告の取引システムを提供する。
【００１２】
本発明は、契約者により登録されたセールス情報に対応する販売ユニット（ＡＤ  Ｕｎｉｔ）を提供することによって、契約者が販売ユニットを選択するだけで詳細な広告契約を締結することのできる販売ユニットを用いた広告の取引システムを提供する。
【００１３】
本発明は、セールス情報に対応した販売ユニットの金額と広告契約の金額とに対して差別化された割引率を適用することによって、担当者と交渉することなく、優良顧客を優待することのできる販売ユニットを用いた広告の取引システムを提供する。
【課題を解決するための手段】
【００１４】
本発明の一実施形態に係る公開された広告の取引システムは、セールス情報が入力されるセールス登録部と、セールス情報に基づいて詳細な広告設定を生成する広告提案部と、広告設定に基づいてネットワーク上で契約締結過程を進める契約部とを含む。
【００１５】
本発明の一実施形態に係る公開された広告の取引システムによれば、広告提案部は、セールス情報に応じて選択可能な広告オプション情報を表示し、少なくとも１つの広告オプションが選択されると、選択された広告オプションに対応する金額を表示し、選択された広告オプションに基づいて広告設定を生成してもよい。
【００１６】
本発明の一実施形態に係る公開された広告の取引システムによれば、広告提案部は、広告設定を複製して類似の広告設定を生成してもよい。
【００１７】
本発明の一実施形態に係る公開された広告の取引システムによれば、契約部で契約が締結されると、契約者から広告素材が提供され、広告設定に応じて広告素材を露出するキャンペーン部をさらに含んでもよい。
【００１８】
本発明の一実施形態に係る公開された広告の取引システムによれば、キャンペーン部は、広告素材の露出量に応じて預金を減少させてもよい。
【００１９】
本発明の一実施形態に係る公開された広告の取引システムによれば、キャンペーン部は、広告設定に含まれる範囲内で広告露出に関する露出情報を変更してもよい。
【００２０】
本発明の一実施形態に係る公開された広告の取引方法は、セールス情報が入力され、セールス情報に基づいて詳細な広告設定を生成し、広告設定に基づいてネットワーク上で契約締結過程を進めること、を含む。
【００２１】
本発明の一実施形態に係る販売ユニットを用いた広告の取引システムは、セールス情報が入力されるセールス登録部と、セールス情報に基づいて広告契約情報および広告金額を含む販売ユニットを提供するユニット提供部と、販売ユニットの少なくとも１つが選択されると、選択された販売ユニットに基づいて詳細な広告設定を生成する広告提案部と、広告設定に基づいてネットワーク上で契約締結過程を進める契約部とを含む。
【００２２】
本発明の一実施形態に係る販売ユニットを用いた広告の取引方法は、セールス情報が入力され、セールス情報に基づく広告契約情報および広告金額を含む販売ユニットを提供し、販売ユニットの少なくとも１つが選択されると、選択された販売ユニットに基づいて詳細な広告設定を生成し、広告設定に基づいてネットワーク上で契約締結過程を進めることを含む。
【発明の効果】
【００２３】
本発明によれば、予め契約された広告露出に関する情報が内部に記録されており、広告主または広告製作会社が接続して契約を締結することのできる広告の取引システムを提供することによって、広告主または広告製作会社がオンライン広告を提供するコンテンツページの提供業者の担当者と交渉することなく広告契約を締結することができる。
【００２４】
本発明によれば、多様な広告オプションを表示し、広告主または広告製作会社が１つ以上の広告オプションを選択すると、選択された広告オプションに応じた金額を表示して契約を締結することによって、広告主または広告製作会社が予算の範囲内で多様な広告オプションの組合せを実現することができる。
【００２５】
本発明によれば、広告露出を制御するキャンペーン部を追加することによって、広告契約を実行している間に一定の金額を支払って、特定の広告オプションを一定の期間に追加的に用いて短期集中の広告を可能にする。
【００２６】
本発明によれば、契約者が登録したセールス情報に対応する販売ユニットを提供することによって、契約者が販売ユニットを選択するだけで詳細な広告契約を締結することのできる販売ユニットを用いた広告の取引システムを提供する。
【００２７】
本発明によれば、セールス情報に応じて販売ユニットの金額と広告契約の金額とに対して差別化された割引率を適用することによって、オンライン広告を提供するコンテンツページの提供業者の担当者と交渉することなく優良顧客を優待することができる。
【図面の簡単な説明】
【００２８】
【図１】本発明の一実施形態に係る公開された広告の取引システムの構成図である。
【図２】本発明の一実施形態に係る公開された広告の取引システムにおける、公開された広告の取引方法を示すフローチャートである。
【図３】本発明の一実施形態に係る公開された広告の取引システムにおける、広告素材を露出する方法を示すフローチャートである。
【図４】本発明の一実施形態に係る公開された広告の取引システムにおいて、セールス登録部が表示する画面の一例である。
【図５】本発明の一実施形態に係る公開された広告の取引システムにおいて、広告提案部が表示する画面の一例である。
【図６】本発明の一実施形態に係る公開された広告の取引システムにおいて、広告露出の日付を設定する画面の一例である。
【図７】本発明の一実施形態に係る公開された広告の取引システムにおいて、契約部に契約情報を入力する画面の一例である。
【図８】本発明の一実施形態に係る公開された広告の取引システムにおいて、契約部が表示する画面の一例である。
【図９】本発明の一実施形態に係る公開された広告の取引システムにおいて、キャンペーン部が表示する画面の一例である。
【図１０】本発明の一実施形態に係る販売ユニットを用いた広告の取引システムの構成図である。
【図１１】本発明の一実施形態における販売ユニットを用いた広告の取引方法を示すフローチャートである。
【図１２】本発明の一実施形態に係る販売ユニットを用いた広告の取引システムにおいて、管理者にユニット提供部が提供する販売ユニットの設定画面の一例である。
【図１３】本発明の一実施形態に係る販売ユニットを用いた広告の取引システムにおいて、ユニット提供部および広告提案部が用いる割引率表の一例である。
【発明を実施するための形態】
【００２９】
以下、添付の図面を参照しながら本発明に係る多様な実施形態を詳細に説明する。
【００３０】
図１は、本発明の一実施形態に係る公開された広告の取引システム１００の構成図である。
【００３１】
図１に示すように、公開された広告の取引システム１００は、セールス登録部１０１に広告を露出することを希望する契約者からのセールス情報が入力されると、広告提案部１０２がセールス情報に基づいて詳細な広告設定を生成し、契約部１０３が広告設定に基づいてネットワーク上で契約締結過程を進め、ネットワーク上で広告露出に関する契約の提案と締結が行われる。
【００３２】
ここで、キャンペーン部１０４は、契約部１０３で契約が締結されると、契約者から広告素材が提供され、前記広告設定に対応して前記広告素材を露出する。
【００３３】
ここで、セールス登録部１０１に入力されるセールス情報は、広告内容の種類、広告の題名、広告の取引類型、広告主の情報、広告製作会社の情報、作成者の情報、および広告類型のうち少なくとも１つを含んでもよい。
【００３４】
ここで、広告提案部１０２は、セールス情報に対応して選択可能な広告オプション情報を表示し、少なくとも１つの広告オプションが選択されると、選択された広告オプションに対応する金額を表示し、選択された広告オプションに基づいて広告設定を生成してもよい。
【００３５】
ここで、広告提案部１０２が表示する広告オプション情報は、広告の露出が可能な露出位置および露出位置に対応する基準単価、広告の露出が可能な露出時間、広告を露出するターゲット（Ｔａｒｇｅｔｉｎｇ）に関する情報、および特定の露出位置と露出時間との組合せによって生成されたパッケージ情報のうち少なくとも１つを含んでもよい。
【００３６】
ここで、広告提案部１０２で生成される広告設定は、選択された広告オプションの目録、選択された広告オプションに対応する契約金額、契約期間、広告主の情報、広告製作会社の情報、および作成者の情報のうち少なくとも１つを含んでもよい。
【００３７】
また、広告設定は、契約部１０３で契約締結過程が進められる前に限って修正または削除することが可能である。
【００３８】
また、広告提案部１０２は、広告設定を複製して類似の広告設定を生成し、設定の類似する他の広告契約を容易に行ってもよい。
【００３９】
ここで、キャンペーン部１０４は、契約金額が入金されると、前記契約金額を預金として設定し、広告素材を露出して広告素材の露出量に応じて預金を減少させてもよい。
【００４０】
ここで、キャンペーン部１０４は、広告設定に含まれる範囲内で広告露出に関する露出情報を変更してもよい。
【００４１】
ここで、キャンペーン部１０４で変更可能な露出情報は、露出位置、露出時間、広告露出の開始情報、広告露出の一時停止情報、広告露出の終了情報、および契約取消情報のうち少なくとも１つを含んでもよい。
【００４２】
ここで、広告露出の一時停止情報および契約取消情報は、広告露出を一時停止し、または契約を取消す場合に発生する情報であり、広告露出の終了情報は広告の露出を終了する時期に関する情報であってもよい。
【００４３】
ここで、キャンペーン部１０４は、契約が取消されると、広告素材の露出量に応じて減少した残りの預金を契約者に返還する。
【００４４】
図２は、本発明の一実施形態に係る公開された広告の取引システムにおいて、公開された広告の取引方法を示すフローチャートである。
【００４５】
ステップＳ２０１において、セールス登録部１０１には契約者からのセールス情報が入力される。
【００４６】
ここで、セールス登録部１０１に入力されるセールス情報は、広告内容の種類、広告の題名、広告の取引類型、広告主の情報、広告製作会社の情報、作成者の情報、および広告類型のうち少なくとも１つを含んでもよい。
【００４７】
ステップＳ２０２において、広告提案部１０２は、ステップＳ２０１で入力されたセールス情報に応じて選択可能な広告オプション情報を表示する。
【００４８】
ここで、広告提案部１０２が表示する広告オプション情報は、広告の露出が可能な露出位置と露出位置に対応する基準単価、広告の露出が可能な露出時間、広告を露出するターゲットに関する情報、および特定の露出位置と露出時間との組合せによって生成されたパッケージ情報のうち少なくとも１つを含んでもよい。
【００４９】
ステップＳ２０３において、広告提案部１０２は、ステップＳ２０３で表示された広告オプションのうち１つ以上が契約者により選択されると、選択された広告オプションに対応する金額を表示する。
【００５０】
ここで、広告提案部１０２は、選択された広告オプションに含まれる基準単価を合算して表示してもよい。
【００５１】
ステップＳ２０４において、広告提案部１０２は、契約者がステップＳ２０３で選択した広告オプションに基づいて広告設定を生成する。
【００５２】
ここで、広告提案部１０２で生成される広告設定は、選択された広告オプションの目録、選択された広告オプションに対応する契約金額、契約期間、広告主の情報、広告製作会社の情報、および作成者の情報のうち少なくとも１つを含んでもよい。
【００５３】
また、広告設定は、契約部１０３が契約締結過程を進める前に限って修正または削除することが可能である。
【００５４】
また、広告提案部１０２は、広告設定を複製して類似の広告設定を生成することによって、設定が類似する他の広告契約を容易に行ってもよい。
【００５５】
ステップＳ２０５において、契約部１０３は、広告設定に基づいてネットワーク上で契約締結過程を進める。
【００５６】
ステップＳ２０６において、キャンペーン部１０４は、契約者から広告素材が提供されると、広告設定に応じた広告素材を露出する。
【００５７】
ここで、キャンペーン部１０４は、契約者の要請に応じて広告素材の露出方法を変更してもよい。
【００５８】
広告素材を露出する方法については、図３を参照してより詳しく説明する。
【００５９】
このような公開された広告の取引方法については、図３、図４、図５、図６、図７、図８および図９に示す一例を参照してより詳しく説明する。
【００６０】
図３は、本発明の一実施形態に係る公開された広告の取引システムにおいて、広告素材を露出する方法を示すフローチャートである。ここで、ステップＳ３０１からステップＳ３０６は、図３に示すように、図２を参照して説明したステップＳ２０６に含まれてもよい。
【００６１】
ステップＳ３０１において、キャンペーン部１０４は、広告設定に応じて広告素材を露出する。
【００６２】
ここで、キャンペーン部１０４は、契約金額が入金されると、契約金額を預金として設定してもよい。
【００６３】
ステップＳ３０２において、キャンペーン部１０４は、広告素材の露出量に応じて預金を減少させる。
ここで、キャンペーン部１０４は、広告設定に含まれる範囲内で広告露出に関する露出情報を変更してもよい。
【００６４】
ここで、キャンペーン部１０４で変更可能な露出情報は、露出位置、露出時間、広告露出の開始情報、広告露出の一時停止情報、広告露出の終了情報、および契約取消情報のうち少なくとも１つを含んでもよい。
【００６５】
ここで、広告露出の一時停止情報および契約取消情報は、広告露出を一時停止し、または契約を取消す場合に発生する情報であり、広告露出の終了情報は、広告の露出を終了する時期に関する情報であってもよい。
【００６６】
また、露出情報は、広告設定に含まれてもよい。
【００６７】
ステップＳ３０３において、キャンペーン部１０４は、露出情報が変更されたかどうかを確認する。
【００６８】
ここで、キャンペーン部１０４は、露出情報がステップＳ２０４で生成された広告設定に含まれる情報と同一であれば、露出情報が変更されなかったと判断してもよい。
【００６９】
ステップＳ３０４において、キャンペーン部１０４は、変更された露出情報に広告露出の終了情報または契約取消情報が含まれているかどうかを確認する。
【００７０】
ステップＳ３０５において、キャンペーン部１０４は、ステップＳ３０４で契約が取消され、または終了したことを確認すると、広告素材の露出量に応じて減少した残りの預金を契約者に返還する。
【００７１】
ステップＳ３０６において、キャンペーン部１０４は、変更された露出情報に応じて広告素材を露出する。
【００７２】
図４は、本発明の一実施形態に係る公開された広告の取引システム１００におけるセールス登録部１０１を表示する画面の一例である。
【００７３】
セールス登録部１０１は、進行ステップを表示する進行表示ボックス４１０と、セールス情報が表示されるセールス情報ボックス４２０とを表示する。
【００７４】
ここで、進行表示ボックス４１０には、セールス情報入力ステップを表すセールスチャンスアイコン４１１、広告設定生成ステップを表す提案アイコン４１２、ネットワーク上の契約締結ステップを示す契約アイコン４１３、および広告露出および管理ステップを示すキャンペーンアイコン４１４の各アイコンを表示し、現在どのステップにあるかを、矢印またはアイコンの色の変化を含む方法によって区分してもよい。
【００７５】
ここで、セールス情報ボックス４２０のチャンス名の欄は、前記セールス情報の名称を入力する欄であり、前記セールス情報に基づく広告設定と前記ネットワーク契約においても同じ名称が用いられてもよい。
【００７６】
ここで、取引類型情報は、公開された広告の取引システム１００に登録された契約者情報に含まれる業者類型情報を自動的に用いてもよい。
【００７７】
ここで、セールス情報ボックス４２０で公開された広告の取引システム１００に登録された業種と広告主、代理店の目録を検索して表示することによって、契約者に適した業種と広告主、代理店を選択してもよい。
【００７８】
ここで、セールス形態の情報は、契約者の類型に対応して自動的に設定される情報であり、例えば、契約者が広告製作会社であれば、公開された広告の取引システム１００に登録された契約者情報に対応して「インバウンド（ｉｎｂｏｕｎｄ）」と設定されてもよい。
【００７９】
ここで、登録アイコンは、セールス情報ボックス４２０に入力された情報でセールス情報を生成して広告提案部１０２に送信するアイコンであり、取消アイコンは、セールス情報ボックス４２０に入力された情報を全て削除して初期化するアイコンであってもよい。
【００８０】
図５は、本発明の一実施形態に係る公開された広告の取引システム１００において広告提案部１０２が表示する画面の一例である。
【００８１】
広告提案部１０２は、セールス情報ボックス５１０、選択された広告オプションに対応する金額が表示される金額情報ボックス５１１、および、選択可能な広告オプション情報を表示する広告オプションボックス５１３を表示する。
【００８２】
ここで、セールス情報ボックス５１０では、図４に示すセールス情報ボックスのチャンス名が提案名に変更されてもよい。
【００８３】
ここで、金額情報ボックス５１１の供給価額は、広告オプションボックス５１３に表示された広告オプションのうち選択された広告オプションを用いるための金額の合計であり、請求金額は供給価額にＶＡＴ（Ｖａｌｕｅ  Ａｄｄｅｄ  Ｔａｘ：付加価値税）を加えた金額であってもよい。
【００８４】
ここで、供給価額は、サービス金額によって金額が減少されることもあり、この場合にサービス金額に入力された金額によって既存の供給価額から減少する比率がサービス率に表示されてもよい。
【００８５】
ここで、広告オプションボックス５１３は、広告オプション情報名、広告オプションクリック率（Ｃｌｉｃｋ  Ｔｈｒｏｕｇｈ  Ｒａｔｅ：ＣＴＲ）、広告オプションの基準単価、広告オプションを提供するターゲット設定アイコン、および広告オプションの種類を選択する種類ウィンドウ５１２を含んでもよい。
【００８６】
ここで、広告オプション情報名は、広告の露出が可能な露出位置と露出位置の大きさとに関する情報を含んでもよい。ここで、広告オプション情報名は、露出位置の特徴に応じて表示順序を決めることによって、特定の特徴を選択すると、特定の特徴に関する露出位置が上下に表示されるようにしてもよい。
【００８７】
また、広告オプション情報名は、ツリー構造の一覧表（ｉｎｖｅｎｔｏｒｙ）のように表示されてもよい。
【００８８】
ここで、ターゲット設定アイコンが選択されると、ターゲットウィンドウ５１４が表示されて広告を露出するターゲットに関する情報を詳細に選択することができる。
【００８９】
種類ウィンドウにおいて、選択可能な広告オプションの種類は、一般広告、１つの露出位置にターゲット対象に応じて多様な広告を露出する口座制広告、スポンサーのためのスポンサー（Sｐｏｎｓｏｒｓｈｉｐ）広告、頻繁に利用する顧客のためのお気に入り（Fａｖｏｒｉｔｅ）広告のうち少なくとも１つを含んでもよい。
【００９０】
広告オプションボックス５１３は、特定の露出位置および露出時間の組合せによって生成されたパッケージ情報のうち少なくとも１つをさらに含んでもよい。
【００９１】
図６は、本発明の一実施形態に係る公開された広告の取引システム１００において広告露出の日付を設定する画面の一例である。
【００９２】
広告提案部１０２は、１ヶ月間の日付、曜日、および前記日付における広告露出情報が表示されたカレンダー表６１０を表示する。ここで、カレンダー表６１０の月を表す月表示欄は、表示される月を変更することができるアイコンを含んでもよい。
【００９３】
ここで、広告提案部１０２は、カレンダー表６１０に表示される広告オプション情報を選択することのできる広告オプション情報選択ウィンドウを表示してもよい。
【００９４】
ここで、カレンダー表６１０は、広告オプション情報選択ウィンドウで選択された広告オプションにより契約された日付を表示してもよい。
【００９５】
したがって、契約者は、カレンダー表６１０で契約されていない日付のうち広告の露出が可能な露出時間を選択することができる。
【００９６】
ここで、広告提案部１０２は、広告の取引システム１００の管理者が契約された日付を選択した場合に、詳細説明ウィンドウ６２０をさらに表示してもよい。
【００９７】
詳細説明ウィンドウ６２０は、他の日付の詳細説明を表示する日付変更ウィンドウと契約された日付における契約情報とを表示し、キャンペーン名が選択されると、当該契約に対応してキャンペーン部１０４に提供する広告露出および管理ステップを表示してもよい。
【００９８】
図７は、本発明の一実施形態に係る公開された広告の取引システム１００において契約部１０３に契約情報を入力する画面の一例である。
【００９９】
契約部１０３は、進行ステップを表示する進行ボックス７１０、セールス情報を表示するセールス情報ボックス７１２、金額情報ボックス７１３、契約に関する情報を設定する契約設定ボックス７１４、および会計精算ボックス７１５を表示する。
【０１００】
ここで、進行ボックス７１０に含まれる進行表示ボックス７１１は、図４に示す進行表示ボックス４１０と同じような情報を表示し、現在どのステップにあるかに関する表示のみが異なってもよい。
【０１０１】
ここで、セールス情報ボックス７１２は、図４に示すセールス情報ボックス４２０に対応する。ここで、セールス情報ボックス４２０のチャンス名は、セールス情報ボックス７１２の契約名に変更されてもよい。また、金額情報ボックス７１３は、金額情報ボックス５１１に入力された情報に対応してもよい。
【０１０２】
ここで、契約設定ボックス７１４は、契約書作成のための情報入力ボックスであり、会計精算ボックス７１５は、税金計算書の発行管理のために品目ウィンドウに異なる品目を設定することによって、税金計算書の請求金額を分割してもよい。
【０１０３】
図８は、本発明の一実施形態に係る公開された広告の取引システム１００において契約部１０３が表示する画面の一例である。
【０１０４】
契約部１０３は、前記図７に表示された画面に契約情報が入力されると、セールス情報ボックス８１０、金額情報ボックス８１１、契約情報を表示する契約設定ボックス８１２、会計精算用情報を表示する会計精算ボックス８１３を表示する。
【０１０５】
ここで、図８に示す画面を参考にすると、契約設定ボックス８１２は、契約確定アイコン、契約破棄アイコン、修正アイコン、削除アイコン、初版契約書アイコン、および最終契約書アイコンを含んでもよい。
【０１０６】
ここで、契約確定アイコンは、契約設定ボックス８１２に表示された契約を確定するアイコンであり、契約破棄アイコンは契約を破棄して契約に関するセールス情報と広告設定を削除するアイコンである。
【０１０７】
また、修正アイコンは、画面に前記図７を表示して契約内容を変更するアイコンであり、削除アイコンは、契約を削除するアイコンや契約破棄アイコンとは異なって、契約に関するセールス情報と広告設定を削除しないものでもよい。ここで、契約確定アイコンや契約破棄アイコンが選択された契約においては削除アイコンを選択することができない。
【０１０８】
また、初版契約書アイコンは、提案部１０２から提供された広告設定として最初に確定された契約書を表示するアイコンであり、最終契約書アイコンは、修正アイコン８１３によって修正された最終契約書を表示するアイコンである。
【０１０９】
ここで、会計精算ボックス８１３は、税金計算書に関する情報を表示するボックスであり、発行要請アイコンが選択されると税金計算書発行画面を表示する。
【０１１０】
ここで、契約部１０３は、広告の取引システム１００の管理者に税金計算書の発行要請情報を送信した後、広告の取引システム１００の管理者が承認をしてから、税金計算書が発行されるようにしてもよい。
【０１１１】
図９は、本発明の一実施形態に係る公開された広告の取引システム１００においてキャンペーン部１０４が表示する画面の一例である。
【０１１２】
キャンペーン部１０４は、契約者に契約者が広告の取引システム１００に登録した契約に関する進行状況を表示する進行情報ウィンドウ９０１と、広告露出の期間を変更することのできる変更ウィンドウ９０２を表示する。
【０１１３】
ここで、進行情報ウィンドウ９０１は、契約者が広告の取引システム１００に登録した契約に関する進行状況とそれぞれの契約に関する請求金額とを表示してもよい。
【０１１４】
このように、本発明の一実施形態に係る公開された広告の取引システムは、広告契約のための契約提案および契約締結をネットワーク上で可能にすることによって、契約の提案および締結のための人材を削減することができる。
【０１１５】
図１０は、本発明の一実施形態に係る販売ユニットを用いた広告の取引システム１０００の構成図である。
【０１１６】
図１０に示すように、販売ユニットを用いた広告の取引システム１０００は、セールス登録部１００１が広告を露出することを希望する契約者によるセールス情報が入力されると、ユニット提供部１００２が、前記セールス情報に基づいて、広告位置と広告金額と広告の大きさの情報とを含む販売ユニットを提供して、広告提案部１００３が選択された販売ユニットに基づいて詳細な広告設定を生成すると、契約部１００４が前記広告設定に基づいてネットワーク上で契約締結過程を進める。
【０１１７】
ここで、セールス登録部１００１に対して契約者により入力される前記セールス情報は、広告内容の種類、広告の題名、広告の取引類型、広告主の情報、広告製作会社の情報、作成者の情報、および広告類型のうち少なくとも１つを含んでもよい。
【０１１８】
ここで、ユニット提供部１００２が提供する販売ユニットは、広告の露出が可能な広告位置、広告位置に対応する広告金額、広告位置に対応する広告の大きさ、一定の期間における広告位置への広告露出量、および一定の期間における広告位置の販売率に関する情報のうち少なくとも１つを含んでもよい。
【０１１９】
ここで、ユニット提供部１００２は、広告内容の種類に基づいて割引率を選択し、基準広告金額に割引率を適用して広告金額を生成してもよい。
【０１２０】
ここで、ユニット提供部１００２は、広告主の情報、広告製作会社の情報、および作成者の情報に基づいて割引率を選択し、基準広告金額に割引率を適用して広告金額を生成してもよい。
【０１２１】
ここで、ユニット提供部１００２は、広告主の情報、広告製作会社の情報、および作成者の情報に基づいて提供する販売ユニットの種類と数量を変更してもよい。
【０１２２】
ここで、広告提案部１００３は、契約者により選択された販売ユニットの情報が入力され、契約者により選択された販売ユニットに基づいて詳細な広告設定を生成してもよい。
【０１２３】
ここで、広告提案部１００３で生成される広告設定は、選択された販売ユニットの目録、選択された販売ユニットの広告金額の総合の契約金額、契約期間、広告主の情報、広告製作会社の情報、および作成者の情報のうち少なくとも１つを含んでもよい。
【０１２４】
ここで、広告提案部１００３は、契約金額の大きさに基づいて割引率を選択し、契約金額に割引率を適用して最終契約金額を生成してもよい。
【０１２５】
図１１は、本発明の一実施形態に係る販売ユニットを用いた広告の取引方法を示すフローチャートである。
【０１２６】
ステップＳ１１０１において、セールス登録部１０１に対して契約者によりセールス情報が入力される。
【０１２７】
ここで、セールス登録部１００１に入力されるセールス情報は、広告内容の種類、広告の題名、広告の取引類型、広告主の情報、広告製作会社の情報、作成者の情報、および広告類型のうち少なくとも１つを含んでもよい。
【０１２８】
ステップＳ１１０２において、ユニット提供部１００２は、ステップＳ１１０１で入力されたセールス情報に応じて表示する販売ユニットを選択する。
【０１２９】
ここで、ユニット提供部１００２は、広告主の情報、広告製作会社の情報、および作成者の情報に基づいて提供する販売ユニットの種類と数量を変更してもよい。
【０１３０】
ステップＳ１１０３において、ユニット提供部１００２は、ステップＳ１１０３で選択された販売ユニットを表示する。
【０１３１】
ここで、ユニット提供部１００２が表示する販売ユニットは、広告の露出が可能な広告位置、広告位置に対応する広告金額、広告位置に対応する広告の大きさ、一定の期間における広告位置への広告露出量、および一定の期間における広告位置の販売率に関する情報のうち少なくとも１つを含んでもよい。
【０１３２】
ここで、ユニット提供部１００２は、広告内容の種類や広告主の情報、広告製作会社の情報、および作成者の情報に基づいて割引率を選択し、基準広告金額に割引率を適用して広告金額を生成して表示してもよい。
【０１３３】
ステップＳ１１０４において、広告提案部１００３に、契約者が選択した販売ユニットの情報が入力される。ここで、広告提案部１００３に入力される販売ユニットの情報は、販売ユニットを区別するための識別情報であってもよい。
【０１３４】
ここで、広告提案部１００３には、少なくとも１つの販売ユニットに関する情報が入力されてもよい。
【０１３５】
ステップＳ１１０５において、広告提案部１００３は、契約者がステップＳ１１０４で選択された販売ユニットに基づいて広告設定を生成する。
【０１３６】
ここで、広告提案部１００３で生成される広告設定は、選択された販売ユニットの目録、選択された販売ユニットの広告金額の総合の契約金額、契約期間、広告主の情報、広告製作会社の情報、および作成者の情報のうち少なくとも１つを含んでもよい。
【０１３７】
ここで、広告提案部１００３は、契約金額の大きさに基づいて割引率を選択し、契約金額に割引率を適用して最終契約金額を生成してもよい。
【０１３８】
また、広告設定は、契約部１００４において契約締結過程が進められる前に限って修正または削除することが可能である。
【０１３９】
また、広告提案部１００３は、広告設定を複製して類似の広告設定を生成することによって、設定が類似する他の広告契約を容易に行ってもよい。
【０１４０】
ステップＳ１１０６において、契約部１００４は、広告設定に基づいてネットワーク上で契約締結過程を進める。
【０１４１】
このような、確認された販売ユニットを用いた広告の取引方法については、図１２および図１３を一例に挙げてより詳しく説明する。
【０１４２】
図１２は、本発明の一実施形態に係る販売ユニットを用いた広告の取引システム１０００において、ユニット提供部１００２が管理者に提供する販売ユニットの設定画面の一例である。
【０１４３】
ユニット提供部１００２は、販売ユニット設定対象ウインドウ１２０１、広告種類ウィンドウ１２０２、選択欄１２０３、状態ウィンドウ１２０４、販売ユニット名（ＡＤ  Ｕｎｉｔ  Ｎａｍｅ）ウィンドウ１２０５、広告露出回数（ＩＭＰ：Ｉｍｐｒｅｓｓｉｏｎ）１２０６、前月の販売率１２０７、および販売ユニットの基準単価１２０８を含んでもよい。
【０１４４】
ここで、販売ユニット設定対象ウインドウ１２０１は、販売ユニットが表示される対象を表すウィンドウである。
【０１４５】
図１２に示すように、販売ユニット設定対象ウインドウ１２０１には「全体」と表示されているが、特定の広告主または特定の広告製作会社を表示し、表示された特定の広告主または特定の広告製作会社に対して提供する販売ユニットのみが表示されることもある。ここで、表示される販売ユニットに関する設定は、販売ユニット設定対象ウインドウ１２０１に表示される対象に販売ユニットが提供される場合にのみ適用してもよい。
【０１４６】
ここで、広告種類ウィンドウ１２０２は、販売ユニットが表示される広告オプションの種類を表すウィンドウである。
【０１４７】
ここで、広告種類ウィンドウ５２５に表示された選択可能な広告オプションの種類は、一般広告、１つの露出位置でターゲット対象に応じて多様な広告を露出する口座制広告、スポンサーのためのスポンサー広告、頻繁に利用する顧客のためのお気に入り広告のうち少なくとも１つを含んでもよい。
【０１４８】
ここで、選択欄１２０３は、複数の販売ユニットを同時に選択することのできるウィンドウである。
【０１４９】
ここで、状態ウィンドウ１２０４は、販売ユニットの状態を表示するウィンドウであり、図１２では販売可能な（Ｏｐｅｎｅｄ：公開された）状態の販売ユニットと販売不可能な（Ｃｌｏｓｅｄ：閉鎖された）状態の販売ユニットとを異なる色で表示している。
【０１５０】
ここで、販売ユニット名ウィンドウ１２０５は、広告の露出が可能な露出位置と露出位置の大きさに関する情報を含んでもよい。ここで、販売ユニット名ウィンドウ１２０５は、露出位置の特徴に応じて販売ユニットの表示順序を決めることによって、特定の特徴を選択すると特定の特徴に関する露出位置が上下に表示されるようにしてもよい。
【０１５１】
また、販売ユニット名ウィンドウ１２０５は、ツリー構造の一覧表のように販売ユニット名を表示してもよい。
【０１５２】
図１３は、本発明の一実施形態に係る販売ユニットを用いた広告の取引システム１０００において、ユニット提供部１００２と広告提案部１００３で用いる割引率表の一例である。
【０１５３】
割引率表は、割引率が適用される予算の範囲１３０１、割引率が適用される業種１３０２、および割引率１３０３を表示し、広告の取引システム１００の管理者は割引率１３０３を変更することができる。
【０１５４】
ここで、割引率が適用される業種１３０２は、図１３に示すように、Ａ、Ｂ、Ｃ、Ｄ、Ｅのような複数の類型（タイプ：ｔｙｐｅ）に分類し、各類型に少なくとも１つの業種を割り当ててもよい。
【０１５５】
ここで、ユニット提供部１００２および広告提案部１００３は、セールス情報に含まれる広告内容の種類、広告主の情報、および広告製作会社の情報に基づいて契約者がいずれの業種に該当するかを判別する。
【０１５６】
販売ユニットを用いた広告の取引システム１０００は、基準広告単価に割引率表を適用することによって、契約金額や契約者の業種に応じて自動的に契約金額を割引くことができる。
【０１５７】
このように、本発明の一実施形態に係る公開された広告の取引システムにおける販売ユニットを用いた広告の取引システムは、契約者により登録されたセールス情報に対応する販売ユニットを提供することによって、契約者が販売ユニットを選択するだけで詳細な広告契約の締結が可能になり、セールス情報に対応して販売ユニットの金額および広告契約の金額に対して差別化された割引率を適用することによって、担当者と交渉することなく優良顧客を優待することができる。
【０１５８】
本発明は、コンピュータにより実現される多様な動作を実行するためのプログラム命令形態で実現され、コンピュータで読取可能な記録媒体に記録されてもよい。前記コンピュータ読取可能な媒体は、プログラム命令、データファイル、データ構造などを単独または組み合わせて含むものでもよい。前記媒体に記録されるプログラム命令は、本発明の目的のために特別に設計され構成されたものでもよく、コンピュータソフトウェア分野の技術を有する当業者にとって公知であり使用可能なものであってもよい。コンピュータで読取可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェア階層で作動するように構成されてもよい。
【０１５９】
上述したように、本発明は、一例として限定された実施形態と図面とによって説明したが、本発明は、上記の実施形態に限定されることなく、本発明が属する分野における通常の知識を有する者であれば、このような記載から多様な修正および変形が可能である。
【０１６０】
したがって、本発明の範囲は説明された実施形態に限定されてはならず、後述する特許請求の範囲だけでなく、この特許請求の範囲と均等なものなどによって定められなければならない。
【図１】
2011528835.tif 000003
【図２】
2011528835.tif 000004
【図３】
2011528835.tif 000005
【図４】
2011528835.tif 000006
【図５】
2011528835.tif 000007
【図６】
2011528835.tif 000008
【図７】
2011528835.tif 000009
【図８】
2011528835.tif 000010
【図９】
2011528835.tif 000011
【図１０】
2011528835.tif 000012
【図１１】
2011528835.tif 000013
【図１２】
2011528835.tif 000014
【図１３】
2011528835.tif 000015
【国際調査報告】
2011528835.tif 000016
2011528835.tif 000017
2011528835.tif 000018
2011528835.tif 000019